(57)【要約】【課題】高い油回収率で効率よく油を回収することができ、再利用効率を向上させることができ、コストの増大を抑制することができる。【解決手段】オイルスラッジＭから油を回収するための油回収システムであって、内部に供給されたオイルスラッジＭを密閉状態で加熱させてオイルガスＧ０を生成する油化装置２と、油化装置２で得られたオイルガスＧ０を凝縮することで、油Ｇ１及びオフガスＧ２に分離する凝縮装置３と、を備え、凝縮装置３で分離された油Ｇ１は油回収装置４によって回収され、オフガスＧ２は油化装置４に供給されることを特徴とする油回収システム１を提供することである。【選択図】図１
2015151409.tif 000002
【特許請求の範囲】
【請求項１】
オイルスラッジから油を回収するための油回収システムであって、
内部に供給された前記オイルスラッジを密閉状態で加熱させてオイルガスを生成する加熱処理部と、
該加熱処理部で得られたオイルガスを凝縮することで、油及びオフガスに分離する凝縮処理部と、
を備え、
前記凝縮処理部で分離された前記油は油回収部によって回収され、前記オフガスは前記加熱処理部に供給されることを特徴とする油回収システム。
【請求項２】
前記加熱処理部には、加熱水蒸気が導入されていることを特徴とする請求項１に記載の油回収システム。
【請求項３】
前記油回収部によって回収された油は、油精製部によって燃料ガスとして精製されることを特徴とする請求項１又は２に記載の油回収システム。
【発明の詳細な説明】
【技術分野】
【０００１】
本発明は、オイルスラッジや油汚染土壌等のオイルスラッジから効率よく油を回収することができる油回収システムに関する。
【背景技術】
【０００２】
一般的に、石油精製工程で生じる原油中のオイルスラッジは、原油ピットの底に溜まってしまうことから、適宜取り出されて燃やされたうえで廃棄されている。
このようなオイルスラッジ等のオイルスラッジは、単に燃焼させる方法ではなく、例えば特許文献１に記載されているように、廃スラッジに液体燃料を混合させ、その混合物を燃焼させることにより加熱室用燃料とする方法が知られている。
【先行技術文献】
【特許文献】
【０００３】
【特許文献１】特開２００９−１５０６３０号公報
【発明の概要】
【発明が解決しようとする課題】
【０００４】
しかしながら、上記従来の油回収方法では、以下のような問題があった。
すなわち、特許文献１の場合には、オイルスラッジに対して新たに液体燃料を加える方法となるので、費用および時間がかかるうえ、液体燃料の割合などの管理が難しいことから、回収にかかる効率が低いという問題があった。
【０００５】
本発明は、上述する問題点に鑑みてなされたもので、高い油回収率で効率よく油を回収することができ、再利用効率を向上させることができ、コストの増大を抑制することができる油回収システムを提供することを目的とする。
【課題を解決するための手段】
【０００６】
上記目的を達成するため、本発明に係る油回収システムでは、オイルスラッジから油を回収するための油回収システムであって、内部に供給された前記オイルスラッジを密閉状態で加熱させてオイルガスを生成する加熱処理部と、該加熱処理部で得られたオイルガスを凝縮することで、油及びオフガスに分離する凝縮処理部と、を備え、前記凝縮処理部で分離された前記油は油回収部によって回収され、前記オフガスは前記加熱処理部に供給されることを特徴としている。
【０００７】
上記構成に係る油回収システムでは、例えばオイルスラッジから油を回収する際に、オイルスラッジを加熱処理部に供給して加熱させることでオイルガスを生成させ、そのガス化した油（オイルガス）を凝縮処理部で凝縮処理して油及びオフガスに分離することができる。そのため、凝縮処理部で分離された油のみを効果的に回収して再利用することが可能となる。
この場合、加熱処理部においてオイルスラッジ中の油を一旦、ガス化させるため、ガス化に伴って生じる残渣に残る油分濃度を極めて少なくすることが可能となるので、オイルスラッジに含まれる油を効率よく回収することができる。このように、本発明の油回収システムでは、高い回収率を実現することができるので、回収した油の再利用効率を向上させることができる。しかも、本発明の油回収システムでは、別途の液体燃料を用いることもないので、コストの増大を抑制することができる。
【０００８】
また、凝縮処理部で分離されたオフガスは、燃焼処理部に供給されて、加熱処理部の加熱用の燃料として再利用されるので、加熱処理部の加熱にかかるコストの低減も図ることが可能となる。
【０００９】
また、本発明に係る油回収システムでは、前記加熱処理部には、加熱水蒸気が導入されていることが好ましい。
【００１０】
本発明によれば、前記加熱処理部内で例えば４００〜６００℃に維持させると、加熱処理部を構成する加熱室の内部壁面にタール等が付着し、残留するが、加熱水蒸気を加熱中の加熱室内に注入することで、前記内部壁面への付着を抑制することができる。そのため、内部壁面へのタールの付着に伴う除去作業にかかる時間や手間を低減することができるとともに、付着による燃焼効率の低下も抑制することができるという利点がある。
【００１１】
また、本発明に係る油回収システムでは、前記油回収部によって回収された油は、油精製部によって精製燃料として精製されることが好ましい。
【００１２】
この場合、オイルスラッジから得られた油を精製して灯油などの燃料および発電機を使用して発電に使用することができる。
【発明の効果】
【００１３】
本発明の油回収システムによれば、オイルスラッジを密閉状態で加熱させた後、オイルガスを凝縮させることで、効率よく油とオフガスに分離することが可能となるので、高い油回収率で効率よく油を回収することができ、再利用効率を向上させることができ、コストの増大を抑制することができる。しかも、オフガスは燃焼処理部に供給され、加熱処理部の加熱用の燃料として再利用されるので、加熱処理部の加熱にかかるコストの低減も図ることができる。
【図面の簡単な説明】
【００１４】
【図１】本発明の実施の形態よる油回収システムを模式的に示した図である。
【図２】図１に示すバッチ式の油回収システムにおける油化装置の詳細を示した図である。
【発明を実施するための形態】
【００１５】
以下、本発明に係る油回収システムの実施の形態について図面を用いて説明する。
【００１６】
図１に示すように、本実施の形態による油回収システム１は、石油精製時において原油から生じる油汚染土壌等のオイルスラッジから油を回収するためのものである。本実施の形態では、オイルスラッジＭをオイルスラッジの一例として以下説明する。
【００１７】
油回収システム１は、内部に供給されたオイルスラッジＭを密閉状態で加熱させてオイルガスＧ０を生成する油化装置２（加熱処理部）と、油化装置２で得られたオイルガスＧ０を凝縮することで、油Ｇ１及びオフガスＧ２に分離する凝縮装置３（凝縮処理部）と、凝縮装置３で分離された油Ｇ１を回収する油回収装置４（油回収部）と、凝縮装置３で分離された油Ｇ１を精製燃料として精製する油精製装置５（油精製部）と、を備えている。
【００１８】
図２に示すように、油化装置２は、ボックス型の鋼材から外殻体２１が形成されており、内部に適宜量の原料（オイルスラッジＭ）が供給される加熱室２２と、加熱室２２内を加熱するための燃焼室２３と、を有している。外殻体２１は、密閉式であり、加熱室２２において酸素を遮断し得る構成となっている。
【００１９】
油化装置２は、バッチ式であり、加熱室２２が適宜な大きさの内部空間に設定されている。加熱室２２には、原料（オイルスラッジＭ）が供給される原料供給部２４と、加熱水蒸気Ｗを導入する水蒸気導入部２５と、加熱室２２で加熱されたオイルスラッジＭがガス化したオイルガスＧ０を取り出す排出路２６と、が設けられている。これら原料供給部２４は、外殻体２１に対して開閉可能でかつ気密可能な開閉扉であって、例えば外殻体２１の側面に配置され、手動あるいは自動で開閉できるようになっている。水蒸気導入部２５及び排出路２６は、適宜な管径の鋼管等が用いられ、加熱室２２に対する接続位置も適宜設定されている。
【００２０】
燃焼室２３は、後述するオフガスＧ２が供給される燃料供給部２３ａに接続され、このオフガスＧ２を加熱源として燃焼を発生させる領域である。燃焼室２３では、本実施の形態のオイルスラッジＭの場合において、加熱室２２内の温度を例えば４００〜６００℃に維持させるように加熱されることになる。
【００２１】
水蒸気導入部２５は、加熱水蒸気Ｗを加熱室２２内に供給するものであり、加熱中の加熱室２２内に加熱水蒸気Ｗを供給することで、加熱室２２の内部壁面への付着を抑制することができる。オイルガス排出路２６は、一端が加熱室２２に、他端が凝縮装置３に接続されており、加熱室２２で油化されたオイルガスＧ０を凝縮装置３に送り込むための配管である。
【００２２】
このように油化装置２では、気密環境下で原料となるオイルスラッジＭを所定温度で加熱させることで、オイルガスＧ０を生成することができ、オイルガスＧ０以外で油分除去された残渣Ｄは適宜な方法により回収され廃棄処理される。
なお、油化装置２として、例えばシー・ワイ・シー社製の炭化装置（ＣＹＴ−２５０００Ｂ）等を用いることができる。
【００２３】
図１に示すように、凝縮装置３は、多管式の熱交換器に冷却水を流通させた周知の構成のものが採用され、油化装置２から導入されたオイルガスＧ０を低温で凝縮させることによって油Ｇ１及びオフガスＧ２のそれぞれに分離する。
【００２４】
油回収装置４は、凝縮装置３に接続され、この凝縮装置３で分離された油Ｇ１を回収するための装置である。また、本実施の形態では、油回収装置４で回収された油Ｇ１は、油精製装置５に向けて送り出されるか、原油に戻されるように構成されている。
油精製装置５は、凝縮装置３で分離された油Ｇ１を精製燃料として精製する機能を有する周知の装置を用いることができ、精製されたもの（精製油Ｇ３）は灯油などの燃料として利用される。
【００２５】
また、凝縮装置３で分離されたオフガスＧ２は、燃焼室２３に接続される燃料供給部２３ａに供給され、加熱室２２を加熱するための燃料として再利用される。ここで、オフガスＧ２の成分としては、一酸化炭素（ＣＯ）、水素（Ｈ２）、メタン（ＣＨ４）等である。
【００２６】
次に、上述した構成の油回収システム１を使用した油回収方法と、油回収システム１の作用について、図面に基づいて説明する。
図１に示すように、本実施の形態の油回収システム１では、オイルスラッジＭから油を回収する際に、適宜量のオイルスラッジＭを油化装置２の加熱室２２内に供給して加熱させることでオイルガスＧ０を生成させ、そのガス化したオイルガスＧ０を凝縮装置３で凝縮処理して油Ｇ１及びオフガスＧ２に分離することができる。そのため、凝縮装置３で分離された油のみを効果的に回収して再利用することが可能となる。
【００２７】
この場合、油化装置２においてオイルスラッジＭ中の油を一旦、ガス化させるため、ガス化に伴って生じる残渣Ｄに残る油分濃度を極めて少なくすることが可能となるので、オイルスラッジＭに含まれる油を効率よく回収することができる。
このように、本実施の形態の油回収システム１では、高い回収率を実現することができるので、回収した油の再利用効率を向上させることができる。しかも、別途な液体燃料を用いることもないので、コストの増大を抑制することができる。
【００２８】
また、凝縮装置３で分離されたオフガスＧ２は、再び油化装置２に供給されて、油化装置２の加熱室２２の加熱用の燃料として再利用されるので、加熱室２２の加熱にかかるコストの低減も図ることが可能となる。
【００２９】
また、本実施の形態の油回収システム１では、油化装置２の加熱室２２内で例えば４００〜６００℃に維持させると、加熱室２２の内部壁面にタール等が付着し、残留するが、加熱水蒸気Ｗを加熱中に加熱室２２内に注入することで、その内部壁面への付着を抑制することができる。そのため、内部壁面へのタールの付着に伴う除去作業にかかる時間や手間を低減することができるとともに、付着による燃焼効率の低下も抑制することができるという利点がある。
【００３０】
また、本実施の形態では、オイルスラッジＭから得られた油を油精製装置５によって精製して灯油などの燃料や、発電機を使用した発電にも使用することができる利点がある。
【００３１】
上記構成からなる油回収システムは、オイルスラッジＭを密閉状態で加熱させた後、オイルガスＧ０を凝縮させることで、効率よく油Ｇ１とオフガスＧ２に分離することが可能となるので、高い回収率で、かつ効率よく油を回収することができ、再利用効率を向上させることができ、コストの低減を図ることができる。
しかも、オフガスＧ２は油化装置２に供給され、油化装置２の加熱用の燃料として再利用されるので、油化装置２の加熱にかかるコストの低減も図ることができる。
【００３２】
以上、本発明による油回収システムの実施の形態について説明したが、本発明は上記の実施の形態に限定されるものではなく、その趣旨を逸脱しない範囲で適宜変更可能である。
【００３３】
例えば、本実施の形態では、油化装置２をバッチ式としているが、これに限らずロータリー式で連続式としてもよい。このような連続式にすることにより、処理量が増えるとともに、常に加熱室内の温度を４００〜６００℃に維持することができるので、コストも安く運転することができる。また、とくに連続式の場合には、加熱処理部にオイルスラッジを供給する過程（例えば、配管等）に、フィルター（ストレーナー）を配置し、オイルスラッジに含まれる比較的大きなゴミ等を取り除くようにしても良い。
また、連続供給を行うために、原料中に粗大な物質を効率よく処理するために、クラッシャー等の細断・粉砕装置を設けてもよい。さらに、残渣中に油の残留が多い場合には、油を炭化させる炭化装置を付加するようにしてもよい。
【００３４】
また、オイルスラッジとして、上記実施の形態ではオイルスラッジＭを一例に挙げているが、これに限定されることはなく、油汚染土壌、廃塗料スラッジ、蒸留残渣、廃グリス、廃インク、廃白土、プラスチック、オイルサンド、オイルシェール残渣、潤滑油系残渣、燃料系残渣、タールピッチ系残渣、廃溶剤残渣なども適用対象とすることができる。
さらには、複数種の異なるオイルスラッジを混合したものを同時に加熱処理部に供給して、油を回収することも可能である。
【００３５】
また、本実施の形態では、加熱処理部（油化装置２）の加熱室２２に加熱水蒸気Ｗを導入しているが、必ずしも加熱水蒸気Ｗを加えなくてもよい。
さらに、本実施の形態の油精製装置５は省略することも可能である。
【００３６】
その他、本発明の趣旨を逸脱しない範囲で、上記した実施の形態における構成要素を周知の構成要素に置き換えることは適宜可能である。
【符号の説明】
【００３７】
１  油回収システム
２  油化装置（加熱処理部）
３  凝縮装置（凝縮処理部）
４  油回収装置（油回収部）
５  油精製装置（油精製部）
２１  外殻体
２２  加熱室
２３  燃焼室
Ｄ  残渣
Ｇ０  オイルガス
Ｇ１  油
Ｇ２  オフガス
Ｇ３  精製油
Ｍ  オイルスラッジ
Ｗ  加熱水蒸気
【図１】
2015151409.tif 000003
【図２】
2015151409.tif 000004